(57)【要約】【課題】折り畳みコンテナを組み立て状態でロックする操作、及びロックを解除する操作をそれぞれ１回ででき、操作性に優れていると共に、ロックバーを最小の部品で組み立てることができ、部品数を削減して構造の簡素化を図る。【解決手段】第１側板３に配置されるロックバー６を２分割して、一方のロック部品６Ａのロック部１１を第１側板３の一側縁３ａから外側方に上下移動自在に突出させ、他方のロック部品６Ｂのロック部１２を第１側板３の他側縁３ｂから外側方に上下移動自在に突出させる。ロック部品６Ａ，６Ｂの各他端部１３，１４を接続手段８で直接接続する。第１側板３と第２側板４の起立状態でロック部１１，１２をロック受け部１５に係合したロック状態に保持するロック用バネ１６と、ロック部１１，１２をロック解除位置に移動させる操作部１７とを設けた。【選択図】　　　　図１
2004131138.tif 000002
【特許請求の範囲】
【請求項１】
底板の対向する一対の辺にそれぞれ回動自在に取り付けた一対の第１側板と、他の一対の辺にそれぞれ回動自在に取り付けた一対の第２側板とを、底板に重なるように折り畳むことができると共に、各側板を起立させた状態で箱形状に組み立てるようにした折り畳みコンテナにおいて、第１側板の上枠に沿ってロックバーが上下移動自在に配設され、このロックバーは、第１側板の一側縁に開口した側面開口部に上下移動自在に嵌め込まれて一側縁から外側方に突出するロック部が一端部に形成されている一方のロック部品と、第１側板の他側縁に開口した側面開口部に上下移動自在に嵌め込まれて他側縁から外側方に突出するロック部が一端部に形成されている他方のロック部品とに２分割されていると共に、両方のロック部品の各他端部を直接接続するための接続手段を備えており、第１側板の一側縁と隣接する一方の第２側板の側縁に、一方のロック部品のロック部が係合可能なロック受け部が設けられ、第１側板の他側縁と隣接する他方の第２側板の側縁に、他方のロック部品のロック部が係合可能なロック受け部が設けられ、第１側板と第２側板の起立状態でロックバーの各ロック部を上方又は下方にバネ付勢してロック受け部に係合したロック状態に保持するためのロック用バネと、ロック部をロック用バネのバネ力が付与される方向と反対方向に移動させてロック解除位置に位置させるための操作部とを設けてなることを特徴とする折り畳みコンテナ。
【請求項２】
各ロック受け部には、第２側板の側縁内面に開口した出し入れ用開口部と、出し入れ用開口部に連通するＬ状溝部とが形成され、第１側板と第２側板の起立状態でロック部が出し入れ用開口部からＬ状溝部内に出し入れ可能とされ、ロック用バネはＬ状溝部内に位置するロック部を上方又は下方にバネ付勢して出し入れ用開口部と対向しないロック位置に保持するように構成され、操作部はロック部をロック用バネのバネ力が付与される方向と反対方向に移動させて出し入れ用開口部と対向したロック解除位置に位置させるように構成されていることを特徴とする請求項１記載の折り畳みコンテナ。
【請求項３】
操作部をロックバーの長手方向の略中央に位置するように一方のロック部品に設けると共に、分割された２つのロック部品の接続手段をロックバーの長手方向の略中央からずれた位置に設けたことを特徴とする請求項１又は２記載の折り畳みコンテナ。
【請求項４】
ロック用バネが複数のバネ片で構成されていることを特徴とする請求項１又は２記載の折り畳みコンテナ。
【請求項５】
ロック用バネが押し上げバネで構成され、ロックバーの押し下げによってロック解除を行なう操作部を備えていることを特徴とする請求項１又は２又は４記載の折り畳みコンテナ。
【請求項６】
第１側板の上枠に、両方のロック部品を上下方向にガイドするためのガイド手段を設けたことを特徴とする請求項１乃至請求項５のいずれかに記載の折り畳みコンテナ。
【発明の詳細な説明】
【０００１】
【発明の属する技術分野】
本発明は、折り畳みコンテナに関し、詳しくは底板の対向する一対の辺にそれぞれ回動自在に取り付けた一対の第１側板と、他の一対の辺にそれぞれ回動自在に取り付けた一対の第２側板とを、それぞれ起立させた状態で箱形状に組み立てるための技術に関するものである。
【０００２】
【従来の技術】
従来の折り畳みコンテナ１’は、図１６に示すように、底板２の対向する一対の辺にそれぞれ回動自在に取り付けた一対の第１側板３と、他の一対の辺にそれぞれ回動自在に取り付けた一対の第２側板４とを、底板２に重なるように折り畳むことができると共に、各側板３，４を起立させた状態で箱形状に組み立てるようにしたものにおいて、四隅に配設した係合片３０と係止片３１とを各々係合させることによって組み立て状態として、第１側板３が内側に倒れないようにしたものが知られている（例えば、特許文献１参照）。
【０００３】
また他の従来例として、図１７に示すように、容器本体４０の四側壁４１のうち、一側壁４１に設けた開口４２に開閉自在な蓋体４３を回動自在に枢着し、蓋体４３の枢着側と反対側の端部にロック用板４４を取り付け、容器本体４０の組み立て状態で、開口４２内周にロック用板４４を嵌合させて蓋体４３を閉成保持させるようにしたものもある（例えば、特許文献２参照）。
【０００４】
【特許文献１】
実開昭６３−１１７７２５号公報（第１図）
【特許文献２】
実開昭６１−１８０９５２号公報（第８図）
【０００５】
【発明が解決しようとする課題】
ところが、上記特許文献１では組み立てる際に、折り畳みコンテナ１’の４隅でそれぞれ、係合片３０と係止片３１との係合操作を行なう必要があり、折り畳み状態から組み立て状態、或いは組み立て状態から折り畳み状態への操作に手間と時間がかかり、操作性が悪いという問題があり、しかも、折り畳みコンテナ１’の四隅にそれぞれ係合片３０と係止片３１とを配設する必要があり、部品数が多く、構造が複雑化するという問題もある。
【０００６】
また、上記特許文献２では、蓋体４３に設けたロック用板４４をスライドさせることで、容器本体４０の開口４２内周に蓋体４３を閉成保持させるものであり、容器本体４０の四周の側板をロックバーにてロックさせる技術についての具体的開示はない。
【０００７】
本発明は、上記の従来例の問題点に鑑みて発明したものであって、その目的とするところは、折り畳みコンテナを組み立て状態でロックする操作、及びロックを解除する操作をそれぞれ１回ででき、操作性に優れていると共に、ロックバーを最小の部品で組み立てることができ、部品数を削減して構造の簡素化を図ることができる折り畳みコンテナを提供することにあり、他の目的とするところは、分割された２つのロック部品の接続を容易にしながら、ロックバーの操作性を良好にできる折り畳みコンテナを提供することにあり、他の目的とするところは、組み立て状態の折り畳みコンテナを持ち運ぶ際に誤ってロックバーのロック解除が行なわれるのを確実に防止でき、安全性を向上させることができる折り畳みコンテナを提供することにある。
【０００８】
【課題を解決するための手段】
上記課題を解決するために本発明にあっては、底板２の対向する一対の辺にそれぞれ回動自在に取り付けた一対の第１側板３と、他の一対の辺にそれぞれ回動自在に取り付けた一対の第２側板４とを、底板２に重なるように折り畳むことができると共に、各側板３，４を起立させた状態で箱形状に組み立てるようにした折り畳みコンテナにおいて、第１側板３の上枠５に沿ってロックバー６が上下移動自在に配設され、このロックバー６は、第１側板３の一側縁３ａに開口した側面開口部７に上下移動自在に嵌め込まれて一側縁３ａから外側方に突出するロック部１１が一端部に形成されている一方のロック部品６Ａと、第１側板３の他側縁３ｂに開口した側面開口部７に上下移動自在に嵌め込まれて他側縁３ｂから外側方に突出するロック部１２が一端部に形成されている他方のロック部品６Ｂとに２分割されていると共に、ロック部品６Ａ，６Ｂの各他端部１３，１４を直接接続するための接続手段８を備えており、第１側板３の一側縁３ａと隣接する一方の第２側板４の側縁４ａに、一方のロック部品６Ａのロック部１１が係合可能なロック受け部１５が設けられ、第１側板３の他側縁３ｂと隣接する他方の第２側板４の側縁４ａに、他方のロック部品６Ｂのロック部１２が係合可能なロック受け部１５が設けられ、第１側板３と第２側板４の起立状態でロックバー６の各ロック部１１，１２を上方又は下方にバネ付勢してロック受け部１５に係合したロック状態に保持するためのロック用バネ１６と、ロック部１１，１２をロック用バネ１６のバネ力が付与される方向と反対方向に移動させてロック解除位置に位置させるための操作部１７とを設けてなることを特徴としており、このように構成することで、折り畳みコンテナ１を組み立てた状態でロックバー６によるロック操作と、ロックを解除する操作とをそれぞれ１回の操作で行なうことができ、操作性に優れたものとなる。しかも、ロックバー６を一方のロック部品６Ａと他方のロック部品６Ｂとに２分割し、これら分割されたロック部品６Ａ，６Ｂを接続手段８によって直接接続するようにしたので、ロックバー６の部品数が２つで済み、部品数を削減できる。
【０００９】
また上記各ロック受け部１５には、第２側板４の側縁４ａ内面に開口した出し入れ用開口部と、出し入れ用開口部９に連通するＬ状溝部１０とが形成され、第１側板３と第２側板４の起立状態でロック部１１，１２が出し入れ用開口部９からＬ状溝部１０内に出し入れ可能とされ、ロック用バネ１６はＬ状溝部１０内に位置するロック部１１，１２を上方又は下方にバネ付勢して出し入れ用開口部９と対向しないロック位置に保持するように構成され、操作部１７はロック部１１，１２をロック用バネ１６のバネ力が付与される方向と反対方向に移動させて出し入れ用開口部９と対向したロック解除位置に位置させるように構成されるのが好ましく、この場合、ロック用バネ１６によってロックバー６が上昇又は下降してロック部１１，１２がＬ状溝部１０内でロック状態で確実に保持されることとなり、また操作部１７を引き上げる（或いは押し下げる）ことで容易にロック部１１，１２を出し入れ用開口部９と対向したロック解除状態とすることができる。
【００１０】
また上記操作部１７をロックバー６の長手方向の略中央に位置するように一方のロック部品６Ａに設けるのが好ましく、この場合、２分割されたロック部品６Ａ，６Ｂの上方又は下方への移動操作をバランス良く行なうことができ、操作性が良好となる。しかも、一方のロック部品６Ａと他方のロック部品６Ｂとの接続手段８をロックバー６の長手方向の略中央からずれた位置に設けたので、ロック部品６Ａ，６Ｂの各他端部１３，１４の接続作業において操作部１７が妨げとならない。
【００１１】
またロック用バネ１６が複数のバネ片１６ａ，１６ｂで構成されているのが好ましく、この場合、ロック用バネ１６の負荷を分散させることによりスムーズに上下摺動することができ、これによりロック部品６Ａ，６Ｂの各ロック部１１，１２が傾いた状態で側面開口部７から外側方に突出してロック受け部１５との係合ができなくなったりするのを確実に防止できるようになる。
【００１２】
また上記ロック用バネ１６が押し上げバネで構成され、ロックバー６の押し下げによってロック解除を行なう操作部１７を備えているのが好ましく、この場合、組み立て状態で第１側板３の上枠５を手で持って運ぶ際に、ロックバー６を手で押し上げる形となる。つまり、ロックバー６の操作部１７を意識的に手で下に押し下げない限り誤ってロックが解除される心配がない。
【００１３】
また上記第１側板３の上枠５に、両方のロック部品６Ａ，６Ｂを上下方向にガイドするためのガイド手段２０を設けるのが好ましく、この場合、ガイド手段２０によって分割されたロック部品６Ａ，６Ｂの上下移動がスムーズに行なわれるようになる。
【００１４】
【発明の実施の形態】
以下、本発明を添付図面に示す実施形態に基づいて説明する。
【００１５】
本実施形態の折り畳みコンテナ１は、底板２の対向する一対の辺にそれぞれ回動自在に取り付けた一対の第１側板３と、対向する他の一対の辺にそれぞれ回動自在に取り付けた一対の第２側板４とを、図１４に示すように、底板２に重なるように折り畳むことができると共に、図１、図１５に示すように、各側板３，４を起立させた状態で箱形状に組み立てるものにおいて、組み立て状態を保持するためのロックバー６を備えている。以下、短側板を第１側板３とし、長側板を第２側板４として説明するが、勿論これに限られず、短側板を第２側板４とし、長側板を第１側板３としてもよいものである。
【００１６】
先ず、ロックバー６は、短側板である一対の第１側板３の上枠５の略全長に亘って、上下移動自在にそれぞれ横架されている。このロックバー６は、例えば鉄製板からなり、図５〜図８に示す長尺である一方のロック部品６Ａ（以下、「長尺ロック部品６Ａ」という。）と、図９に示す短尺である他方のロック部品６Ｂ（以下、「短尺ロック部品６Ｂ」という。）とに２分割されている。
【００１７】
長尺ロック部品６Ａの一端部には、図２に示すように、第１側板３の一側縁３ａに開口した側面開口部７に上下移動自在に嵌め込まれて一側縁３ａから外側方に突出するロック部１１が形成されている。長尺ロック部品６Ａの他端部１３は第１側板３の他側縁３ｂから少し内側に入り込んだ位置に配置される。長尺ロック部品６Ａには、図４に示すように、上枠５の外壁５ａに摺接する外側突部２１と上枠５の内壁５ｂに摺接する内側突部２２とがそれぞれ設けられている。さらに第１側板３の上枠５には、長尺ロック部品６Ａの中央側の２箇所を上下方向にガイドするためのガイド手段２０が設けられている。図４の例に示すガイド手段２０は、上枠５を貫通して固定された左右一対のガイドピン２０ａと、ガイドピン２０ａがスライド自在に嵌合する長尺ロック部品６Ａに設けた上下方向に長いガイド溝２０ｂとからなる。
【００１８】
一方、短尺ロック部品６Ｂの一端部には、図４に示すように、第１側板３の他側縁３ｂに開口した側面開口部７に上下移動自在に嵌め込まれて他側縁３ｂから外側方に突出するロック部１２が形成されており、他端部１４は第１側板３の他側縁３ｂよりも少し内方に入り込んだ位置に位置している。短尺ロック部品６Ｂには、長尺ロック部品６Ａと同様、図４に示すように、上枠５の外壁５ａに摺接する外側突部２１と上枠５の内壁５ｂに摺接する内側突部２２とがそれぞれ設けられている。
【００１９】
ここで、長尺ロック部品６Ａ及び短尺ロック部品６Ｂの各ロック部１１，１２は、図１０に示すように、片面が円弧面５０となっており、一方、ロック受け部１５の出し入れ用開口部９の上方壁部６０の下端部はテーパー面６０ａ（図１１）となっており、ロック部１１，１２の円弧面５０がテーパー面６０ａに沿ってスムーズにＬ状溝部１０内に係合できる構造となっている。ここでロック部１１，１２の片面は円弧面５０ではなくテーパー面であってもよく、またロック受け部１５の出し入れ用開口部９の上方壁部６０はテーパー面６０ａではなく円弧面であってもよいものであり、要はロック部１１，１２がロック受け部１５の出し入れ用開口部９の上方壁部６０にスムーズに接触して出入りできる面形状であればよいものである。
【００２０】
また、長尺ロック部品６Ａ及び短尺ロック部品６Ｂの各他端部１３，１４は、接続手段８により直接接続される。本例の接続手段８は、図４、図７、図９に示すように、長尺ロック部品６Ａの他端部１３に突設された複数の筒状部２３と、短尺ロック部品６Ｂの他端部１４に穿孔された複数の接続孔２４とからなり、各他端部１３，１４を互いに重ね合わせるようにして筒状部２３を接続孔２４に嵌め込むことで、長尺ロック部品６Ａと短尺ロック部品６Ｂとが一体に接続されるようになっている。なお図３中の２４ａは長尺ロック部品６Ａに設けた位置決め用爪部、２４ｂは短尺ロック部品６Ｂに設けた位置決め用凹部である。
【００２１】
長尺ロック部品６Ａ及び短尺ロック部品６Ｂの下面には、図２、図６、図８、図９（ａ）（ｅ）に示すように、それぞれ、ロック用バネ１６が設けられている。本例のロック用バネ１６は、押し上げバネからなり、Ｌ状溝部１０内に位置するロック部１１，１２を上方にバネ付勢して出し入れ用開口部９と対向しないロック位置に保持する働きをする。ここでは、押し上げバネは、上端で狭く下端で広くなるハ字状に一体形成された一対のバネ片１６ａ，１６ｂで構成されており、各バネ片１６ａ，１６ｂの下端が上枠５の底面部分５ｃ（図１０）にて支持されている。このように押し上げバネをハ字状のバネ片１６ａ，１６ｂで構成することで、長尺ロック部品６Ａを押し上げるバネ力が増加すると共にそのバランスが良くなり、ロック部１１，１２が正規の方向（図１０の矢印ａで示す側面開口部７から外側方に真っ直ぐに突出する方向）に保持されることとなり、例えば図１０の矢印ａ１，ａ２で示す左右方向に傾いたり、或いは矢印ｂ１、ｂ２で示す上下方向に傾いたりするのを防止でき、これによりロックバー６とロック受け部１５との係合が確実に行なわれるようにしてある。
【００２２】
また長尺ロック部品６Ａには、操作部１７が設けられる。この操作部１７は、ロック部１１，１２をロック用バネ１６のバネ力が付与される方向と反対方向に移動させて出し入れ用開口部９と対向したロック解除位置に位置させるためのものであり、図１、図２、図４、図７、図８に示すように、ロックバー６の長手方向の略中央に位置するように操作部１７が配設されており、操作部１７の押し下げによってロックが解除されるように構成されている。また、ロック部品６Ａ，６Ｂの接続手段８は、ロックバー６の長手方向の略中央からずれた位置に位置しており、これにより操作部１７と接続手段８とが離間して配置された構造となっている。
【００２３】
第１側板３と隣接する２枚の第２側板（長側板）４の側縁４ａには、それぞれ、図１１に示すように、ロック受け部１５が突設されている。一方のロック受け部１５には、短尺ロック部品６Ｂのロック部１２が係合可能され、他方のロック受け部１５には長尺ロック部品６Ａのロック部１１が係合可能とされる。
【００２４】
各ロック受け部１５には、それぞれ、第２側板４の側縁４ａ内面に開口した出し入れ用開口部９と、この出し入れ用開口部９に連通するＬ状溝部１０とが形成されている。本例では図１２に示すように、出し入れ用開口部９からＬ状溝部１０内に入り込んだロック部１１（１２）がロック用バネ１６のバネ力によってＬ状溝部１０内を上昇することでロック状態となり、また図１３に示すように、操作部１７を押し下げることでロック部１１（１２）がＬ状溝部１０内を下降して出し入れ用開口部９と対向するロック解除状態となるように構成されている。
【００２５】
また、図１０、図１１に示す例では、ロック受け部１５が設けられる側縁４ａには嵌合凹部１９が設けられ、ロックバー６が設けられる第１側板３の側縁３ａには、第１側板３と第２側板４の起立状態で、上記嵌合凹部１９に嵌合可能な嵌合凸部１８が突設されている。これら嵌合凸部１８と嵌合凹部１９との嵌合方向ハはロックバー６とロック受け部１５との係合方向ニに対して略直角方向に設定してある。これにより、第２側板４に対する第１側板３の倒れをロックバー６によって阻止できると同時に、第２側板４自体の倒れを嵌合凸部１８と嵌合凹部１９との嵌合によって阻止できるようになっている。
【００２６】
次にロックバー６を組み立てるにあたって、長尺ロック部品６Ａのロック部１１を第１側板３の一側縁３ａの側面開口部７に嵌め込んで一側縁３ａから外側方に突出させ、一方、短尺ロック部品６Ｂのロック部１２を第１側板３の他側縁３ｂに開口した側面開口部７に嵌め込んで他側縁３ｂから外側方に突出させ、この状態で、長尺ロック部品６Ａ及び短尺ロック部品６Ｂの各他端部１３，１４の筒状部２３を接続孔２４に嵌め込むことで他端部１３，１４を互いに重ね合わせる。これにより分割された２つのロック部品６Ａ，６Ｂが一体に接続される。さらに、上枠５に設けたガイドピン２０ａを長尺ロック部品６Ａのガイド溝２０ｂにスライド嵌合させて、ロックバー６全体を上下移動自在とする。
【００２７】
次に、折り畳みコンテナ１を組み立てる場合は、一対の第２側板４をそれぞれ起立させた後に、一対の第１側板３をそれぞれ起立させる。このとき第１側板３の両側縁３ａ，３ｂから外側方に突出しているロック部１１（１２も同様）が、それぞれ、図１１の矢印ハで示す方向に移動して、出し入れ用開口部９の上方壁部６０のテーパー面６０ａにそれぞれ当り、ロック部１１（１２）の円弧面５０がテーパー面６０ａに沿って下降することで、ロック部１１（１２）は出し入れ用開口部９からＬ状溝部１０内にスムーズに進入でき（図１３の状態）、その後、ロック用バネ１６のバネ力によってロック部１１（１２）はＬ状溝部１０内を上昇してロック状態（図１２の状態）となり、折り畳みコンテナ１は箱形に組み立てられた状態で保持される（図１、図１５の状態）。このように、一対の第１側板３を起立させる作業と同時にロックバー６をロック受け部１５に対してロック状態とすることができる。またこのとき第１側板３と第２側板４に設けた嵌合凸部１８と嵌合凹部１９とが嵌合することで、第２側板４に対する第１側板３の倒れをロックバー６によって阻止できると同時に、第２側板４自体の倒れを嵌合凸部１８と嵌合凹部１９との嵌合によって阻止できるようになる。
【００２８】
次に、折り畳みコンテナ１を折り畳む場合は、左右一対の第１側板３の上枠５に両手を持っていき、ロックバー６の操作部１７を図１１の矢印ロで示す方向に手で押し下げると、ロックバー６がロック用バネ１６のバネ力に抗して押し下げられて、ロック部１１（１２）はＬ状溝部１０内を下降して出し入れ用開口部９と対向するロック解除位置に位置するようになり（図１３の状態）、これにより一対の第１側板３を内側に倒すことができ、その後、一対の第２側板４を倒すことにより、折り畳みコンテナ１を折り畳むことができる（図１４の状態）。
【００２９】
上記のように、組み立て時には折り畳みコンテナ１の左右の第１側板３を開く動作だけで、左右のロックバー６によるロック操作を１回の操作で行なうことができ、また折り畳み時には左右のロックバー６の操作部１７を押し下げるだけで、ロックを解除して折り畳み状態にできるので、ロック操作及びロック解除操作ともに容易となり、操作性が良くなり、迅速に且つ確実に、折り畳みコンテナ１の折り畳み、組み立てができるようになる。しかも、分割されたロックバー６の部品数を減らすことができる。ちなみに、現行品のロックバーは、一端にロック部を有する一方のロック部品と、一端にロック部を有する他方のロック部品と、これらを連結する中央連結バーとの３部品で構成しており、ロックバーの部品が３部品となり、部品数が増えて組み立て作業に手間取るといった問題が生じているが、本発明では、ロックバー６は長尺ロック部品６Ａと、短尺ロック部品６Ｂとに２分割され、接続手段８によって直接接続しているので、ロックバー６の部品数が２つで済み、部品数を削減して構造の簡素化を図ることができるものである。
【００３０】
また操作部１７はロックバー６の長手方向の略中央に位置するように長尺ロック部品６Ａに設けられているので、２分割されたロックバー６の上方又は下方への移動操作をバランス良く行なうことができ、操作性が良好となる。しかも、接続手段８を操作部１７からずれた位置に設けることで、接続作業時に操作部１７が妨げとならず、接続作業を容易に行なうことができる。
【００３１】
また、ロック用バネ１６は一対のハ字状のバネ片１６ａ，１６ｂで構成されているため、ロック用バネ１６の負荷を分散させることによりスムーズに上下摺動することができ、ロック用バネ１６のバネ力が増加すると共にバランスが良くなり、これによりロック部１１，１２が傾いた状態で側面開口部７から外側方に突出してロック受け部１５との係合ができなくなったりするのを確実に防止できるものである。しかもロック用バネ１６は押し上げバネであり、操作部１７は押し下げによってロックを解除するものであるため、組み立て状態で第１側板３の上枠５を手で持って運ぶ際に、ロックバー６を手で押し上げる形となる。つまりロックバー６の操作部１７に手がかかって押し上げてしまっても、これはロックがかかる方向であり、操作部１７を意識的に手で下に押し下げない限り誤ってロックが解除される心配がなく、安全性を向上させることができる。また、ロックバー６はガイド手段２０によって上下方向にガイドされているので、ロックバー６の上下移動自在がスムーズとなり、操作性が一層良好となる。
【００３２】
なお前記実施形態ではロック用バネ１６として押し上げバネを例示したが、ロックバー６を下方に引っ張る引っ張りバネであってもよい。この場合、ロック受け部１５のＬ状溝部１０を逆Ｌ字状とすることで、ロックバー６を下げた状態でロック部１１，１２がＬ状溝部１０内を下降してロック状態となり、また操作部１７を引き上げることでロック部１１，１２がＬ状溝部１０内を上昇して出し入れ用開口部９と対向したロック解除状態とすることができる。
【００３３】
【発明の効果】
上述のように請求項１記載の発明にあっては、底板の対向する一対の辺にそれぞれ回動自在に取り付けた一対の第１側板と、他の一対の辺にそれぞれ回動自在に取り付けた一対の第２側板とを、底板に重なるように折り畳むことができると共に、各側板を起立させた状態で箱形状に組み立てるようにした折り畳みコンテナにおいて、第１側板の上枠に沿ってロックバーが上下移動自在に配設され、このロックバーは、第１側板の一側縁に開口した側面開口部に上下移動自在に嵌め込まれて一側縁から外側方に突出するロック部が一端部に形成されている一方のロック部品と、第１側板の他側縁に開口した側面開口部に上下移動自在に嵌め込まれて他側縁から外側方に突出するロック部が一端部に形成されている一方のロック部品とに２分割されていると共に、両方のロック部品の各他端部を直接接続するための接続手段を備えており、第１側板の一側縁と隣接する一方の第２側板の側縁に、一方のロック部品のロック部が係合可能なロック受け部が設けられ、第１側板の他側縁と隣接する他方の第２側板の側縁に、他方のロック部品のロック部が係合可能なロック受け部が設けられ、第１側板と第２側板の起立状態でロックバーの各ロック部を上方又は下方にバネ付勢してロック受け部に係合したロック状態に保持するためのロック用バネと、ロック部をロック用バネのバネ力が付与される方向と反対方向に移動させてロック解除位置に位置させるための操作部とを設けてなるので、折り畳みコンテナを組み立てた状態でロックバーによるロック操作と、ロックを解除する操作とをそれぞれ１回の操作で行なうことができ、操作性に優れたものとなる。しかも、ロックバーを一方のロック部品と他方のロック部品とに２分割し、これら分割されたロック部品を接続手段によって直接接続するようにしたので、ロックバーの部品数が２つで済み、部品数を削減して作業の簡素化を図ることができるものである。
【００３４】
また請求項２記載の発明は、請求項１記載の効果に加えて、各ロック受け部には、第２側板の側縁内面に開口した出し入れ用開口部と、出し入れ用開口部に連通するＬ状溝部とが形成され、第１側板と第２側板の起立状態でロック部が出し入れ用開口部からＬ状溝部内に出し入れ可能とされ、ロック用バネはＬ状溝部内に位置するロック部を上方又は下方にバネ付勢して出し入れ用開口部と対向しないロック位置に保持するように構成され、操作部はロック部をロック用バネのバネ力が付与される方向と反対方向に移動させて出し入れ用開口部と対向したロック解除位置に位置させるように構成されているので、ロック用バネによってロックバーのロック部がＬ状溝部内でロック状態で確実に保持されることとなり、また操作部を引き上げる（或いは押し下げる）ことで容易にロック部を出し入れ用開口部と対向したロック解除状態とすることができるものである。
【００３５】
また請求項３記載の発明は、請求項１又は２記載の効果に加えて、操作部をロックバーの長手方向の略中央に位置するように一方のロック部品に設けたので、２分割された両方のロック部品の上方又は下方への移動操作をバランス良く行なうことができ、操作性が良好となる。しかも、分割された２つのロック部品の接続手段をロックバーの長手方向の略中央からずれた位置に設けたので、両方のロック部品の各他端部の接続作業において操作部が妨げとならず、接続作業を容易に行なうことができる。
【００３６】
また請求項４記載の発明は、請求項１又は２記載の効果に加えて、ロック用バネが複数のバネ片で構成されているので、ロック用バネの負荷を分散させることによりスムーズに上下摺動することができ、これにより両方のロック部品の各ロック部が傾いた状態で側面開口部から外側方に突出してロック受け部との係合ができなくなったりするのを確実に防止できるものである。
【００３７】
また請求項５記載の発明は、請求項１又は２又は４記載の効果に加えて、ロック用バネが押し上げバネで構成され、ロックバーの押し下げによってロック解除を行なう操作部を備えているので、組み立て状態で第１側板の上枠を手で持って運ぶ際に、ロックバーを手で押し上げる形となる。つまり、ロックバーの操作部を意識的に手で下に押し下げない限り誤ってロックが解除される心配がなく、安全性を向上させることができる。
【００３８】
また請求項６記載の発明は、請求項１乃至請求項５のいずれかに記載の効果に加えて、第１側板の上枠に、両方のロック部品を上下方向にガイドするためのガイド手段を設けたので、ガイド手段によって分割された両方のロック部品の上下移動がスムーズに行なわれるようになり、操作性が一層良好となる。
【図面の簡単な説明】
【図１】本発明の実施形態の一例を示す斜視図である。
【図２】同上のロックバー付近の正面図である。
【図３】同上のロックバーの平面図である。
【図４】同上のロックバーを上枠に配置した状態の平面断面図である。
【図５】同上の一方のロック部品の下面図である。
【図６】同上の一方のロック部品の背面図である。
【図７】同上の一方のロック部品の平面断面図である。
【図８】同上の一方のロック部品の正面図である。
【図９】同上の他方のロック部品を示し、（ａ）は正面図、（ｂ）は左側面図、（ｃ）は右側面図、（ｄ）は平面図、（ｅ）は背面図、（ｆ）は平面断面図である。
【図１０】同上のロック部品のロック部付近の斜視図である。
【図１１】同上の第２側板を起立させた状態で第１側板を起立させてロックする場合を説明する斜視図である。
【図１２】同上のロック部品のロック部がＬ状溝部に係合しているロック状態を説明する平面断面図である。
【図１３】同上のロック部品のロック部が出し入れ用開口部に対向しているロック解除状態を説明する平面断面図である。
【図１４】同上の折り畳みコンテナの折り畳み状態の平面図である。
【図１５】同上の折り畳みコンテナの組み立て状態の平面図である。
【図１６】従来例の斜視図である。
【図１７】他の従来例の斜視図である。
【符号の説明】
１　折り畳みコンテナ
２　底板
３　第１側板
３ａ　一側縁
３ｂ　他側縁
４　第２側板
４ａ　側縁
５　上枠
６　ロックバー
６Ａ　一方のロック部品
６Ｂ　他方のロック部品
７　側面開口部
８　接続手段
９　出し入れ用開口部
１０　Ｌ状溝部
１１　一方のロック部
１２　他方のロック部
１３，１４　ロック部品の他端部
１５　ロック受け部
１６　ロック用バネ
１６ａ，１６ｂ　バネ片
１７　操作部
２０ガイド手段
【図１】
2004131138.tif 000003
【図２】
2004131138.tif 000004
【図３】
2004131138.tif 000005
【図４】
2004131138.tif 000006
【図５】
2004131138.tif 000007
【図６】
2004131138.tif 000008
【図７】
2004131138.tif 000009
【図８】
2004131138.tif 000010
【図９】
2004131138.tif 000011
【図１０】
2004131138.tif 000012
【図１１】
2004131138.tif 000013
【図１２】
2004131138.tif 000014
【図１３】
2004131138.tif 000015
【図１４】
2004131138.tif 000016
【図１５】
2004131138.tif 000017
【図１６】
2004131138.tif 000018
【図１７】
2004131138.tif 000019